(57)【特許請求の範囲】
【請求項１】
消費財のための容器であって、
外側ボックス左側壁と外側ボックス右側壁との間に広がる外側ボックス後部壁、および前記外側ボックス後部壁に直交し、かつ前記外側ボックス左側壁と前記外側ボックス右側壁との間に広がる外側ボックス底部壁を持つ外側ボックス部分と、
前記外側ボックス部分の上端に沿って第一のヒンジ線に従属するリッド部分であって、リッド右側壁とリッド左側壁との間に広がるリッド前部壁、および前記リッド前部壁と直交し、かつ前記リッド左側壁と前記リッド右側壁との間に広がるリッド底部壁を持ち、前記リッド部分が前記第一のヒンジ線を中心として閉位置と開位置との間で移動可能である、リッド部分と、
前記外側ボックス部分の中に受けられる、開放上部側に沿って消費財を受けるための内側部分であって、内側部分右側壁と内側部分左側壁との間の内側部分後部壁、および前記内側部分後部壁と直交し、かつ前記内側部分左側壁と前記内側部分右側壁との間に広がる内側部分底部壁を備え、前記リッド部分が前記閉位置である時、前記内側部分後部壁が前記外側ボックス後部壁と隣接し、前記内側部分底部壁が前記外側ボックス底部壁と隣接し、前記第一のヒンジ線が前記内側部分開放上部側と隣接し、かつ前記内側部分がヒンジ連結により前記外側ボックス底部壁に取り付けられる、内側部分と、
前記内側部分の前記後部壁に沿って第一の持ち上げ要素ヒンジ線に従属し、前記リッド部分に固定され、かつ前記リッド部分が前記閉位置から前記開位置へと移動する時、前記内側部分後部壁を前記外側部分後部壁から遠ざかるように動かすように適合される、持ち上げ要素と、を備える容器。
【請求項２】
前記持ち上げ要素が、前記内側部分底部壁と前記外側ボックス底部壁とを接続する第二のヒンジ線に沿って前記内側部分を前記外側ボックス部分と相対的に関節動作し、かつ前記第二のヒンジ線が前記第一のヒンジ線と平行である、請求項１に記載の容器。
【請求項３】
前記内側部分の中に受けられる前記消費財が、前記第一のヒンジ線に直交する長軸方向軸を持つ細長い要素である、請求項１又は２に記載の容器。
【請求項４】
前記持ち上げ要素が、第一のフラップと第二のフラップとを分離する第二の持ち上げ要素のヒンジ線と、前記第二のフラップを第三のフラップから分離する第三の持ち上げ要素のヒンジ線と、を備える、請求項１乃至３のいずれか１項に記載の容器。
【請求項５】
前記第三の持ち上げ要素ヒンジ線の一部分に沿って延び、かつこれを置き換えるタブ切り抜きであって、前記第二のフラップおよび第三のフラップが同一平面上でない構成へと回転する時に可聴音を発生する、タブ切り抜きをさらに備える、請求項４に記載の容器。
【請求項６】
前記リッド部分が、前記リッド右側壁と前記リッド左側壁との間に広がるリッド上部壁をさらに備え、かつ前記上部壁が前記外側ボックス後部壁の上端に沿って前記第一のヒンジ線に従属し、また前記持ち上げ要素が前記リッド上部壁に固定される、請求項５に記載の容器。
【請求項７】
前記第三のフラップが前記リッド上部壁に固定され、また前記第一のヒンジ線と前記第三の持ち上げ要素のヒンジ線とが平行でかつ同一の広がりを持つ、請求項６に記載の容器。
【請求項８】
前記容器が前記閉位置である時に、前記第一のフラップおよび第二のフラップが相互の上に折り畳まれ、かつ前記第三のフラップが前記第一のフラップおよび第二のフラップと実質的に直交し、また前記第三のフラップが前記リッド上部壁と同一平面上にある、請求項６または７のいずれか１項に記載の容器。
【請求項９】
前記リッドが少なくとも約９０度の角度まで開いている時に前記第二のフラップおよび前記第三のフラップが同一平面上にある、請求項６乃至８のいずれか１項に記載の容器。
【請求項１０】
前記第一の持ち上げ要素ヒンジ線および前記第二のヒンジ線が前記第一のヒンジ線と平行である、請求項６乃至９のいずれか１項に記載の容器。
【請求項１１】
前記外側ボックス左側壁および前記外側ボックス右側壁の上部側部分の角部が湾曲している、請求項１乃至１０のいずれか１項に記載の容器。
【請求項１２】
前記外側ボックス部分が、前記外側ボックス右側壁と前記外側ボックス左側壁との間に広がる外側ボックス上部壁と、前記外側ボックス上部壁に沿って前記第一のヒンジ線に従属する前記リッド前部壁と、を備え、また前記持ち上げ要素が、第一のフラップと第二のフラップとを分離する第二の持ち上げ要素のヒンジ線と、前記第二のフラップを第三のフラップから分離する第三の持ち上げ要素のヒンジ線と、前記第三のフラップを第四のフラップから分離する第四の持ち上げ要素のヒンジ線と、前記第四のフラップから第五のフラップを分離する第五の持ち上げ要素のヒンジ線と、を備え、前記第四のフラップが前記リッド前部壁に固定され、かつこれと同一平面上になり、また前記第五のフラップが前記第四のフラップの上へと折り返される、請求項１乃至３のいずれか１項に記載の容器。
【請求項１３】
前記リッド部分が約１８０度未満の角度まで閉じた時に、前記第五のフラップが前記第三のフラップに接触しかつこれを偏向させる、請求項１２に記載の容器。
【請求項１４】
前記外側ボックス部分およびリッド部分が単一の層状ブランクから形成される、請求項１乃至１３のいずれか１項に記載の容器。
【請求項１５】
前記内側部分および持ち上げ機構が単一の層状ブランクで形成される、請求項１乃至１４のいずれか１項に記載の容器。
【発明の詳細な説明】
【技術分野】
【０００１】
本発明は、関節動作する内側部分を有する、持ち上げ機構付きの消費財のための容器に関する。この容器には、紙巻たばこなどの細長い喫煙物品のための容器としての特定の用途がある。
【背景技術】
【０００２】
消費財（例えば、細長い喫煙物品）を、折り畳まれた層状ブランクから形成された容器内に包装することが知られている。例えば、紙巻たばこおよび葉巻たばこなどの細長い喫煙物品は一般に、喫煙物品を収容するボックスと、容器の後部壁を横切って広がるヒンジ線を中心としてボックスの上方部分に接続されたリッドとを有する、ヒンジリッドパック入りで販売される。こうしたヒンジリッドパックは典型的には、一枚の層状の厚紙ブランクから構築される。内側フレームは、多くの場合、ボックスの中に提供され、かつ固定される。使用時、リッドがヒンジ線を中心として旋回してパックを開き、喫煙物品の端部のみが露出され、そしてボックスの中に保持されている喫煙物品へのアクセスが得られる。
【０００３】
一部の構成では、容器のボックス部分は、容器の外側ボックスの中に受けられる内側ボックスを含んでもよい。例えば、一部のショルダーパックの設計では、外側ボックスの中に置かれている内側ボックスが見えるようにリッドが開く。内側ボックスの中の消費財にアクセスできるように内側ボックスが上向きに旋回するように、内側ボックスは外側ボックスに対して一方の端においてヒンジ連結されてもよい。ところが、一部の場合では、消費者にとって内側ボックスを旋回させて消費財にアクセスするのが困難である。例えば、消費者にとっては、外側ボックスを保持するのと同時に、内側ボックスを把持し、かつ持ち上げ、１つ以上の消費財を取り出すのが困難な場合がある。
【発明の概要】
【発明が解決しようとする課題】
【０００４】
ショルダーパックなどの消費財のための容器の中に信頼できる持ち上げ機構を提供することが望ましい。持ち上げ機構は、閉位置から解放されると、容器の内側部分を容器の外側部分と相対的に独立して関節動作することが望ましい。
【課題を解決するための手段】
【０００５】
本開示によると、外側ボックス部分の中に受けられる内側部分と、内側部分の上または内側部分の中に受けられる、消費財への容易なアクセスを促進する持ち上げ機構と、を備える消費財のための容器が提供される。持ち上げ機構は、リッドヒンジ線に隣接する上部側から内側部分を持ち上げ、また内側部分は、ヒンジ線に沿って容器の下部側に沿って関節動作する。紙巻たばこなどの消費財は、ヒンジ線に対して長軸方向に直交する。
【０００６】
外側ボックス部分は、外側ボックス左側壁と外側ボックス右側壁との間に広がる外側ボックス後部壁を持つ。外側ボックス底部壁は外側ボックス後部壁と直交し、外側ボックス左側壁と外側ボックス右側壁との間に広がる。リッド部分は、外側ボックス部分の上端に沿って第一のヒンジ線に従属する。リッド部分は、リッド右側壁とリッド左側壁との間に広がるリッド前部壁と、リッド前部壁と直交し、かつリッド左側壁とリッド右側壁との間に広がるリッド底部壁と、を持つ。リッド部分は、第一のヒンジ線を中心として、閉位置と開位置との間で移動可能である。
【０００７】
内側部分は、開放上部側に沿って消費財を受けるように構成される。内側部分は外側ボックス部分の中に受けられる。内側部分は、内側部分右側壁と内側部分左側壁との間の内側部分後部壁と、内側部分後部壁と直交し、かつ内側部分左側壁と内側部分右側壁との間に広がる内側部分底部壁と、を備える。リッド部分が閉位置である時、内側部分後部壁は内側部分後部壁と隣接する。内側部分底部壁は外側ボックス底部壁と隣接し、また第一のヒンジ線は内側部分開放上部側と隣接し、また内側部分は外側ボックス底部壁にヒンジ連結により取り付けられる。
【０００８】
持ち上げ要素は、内側部分後部壁に沿って第一の持ち上げ要素ヒンジ線に従属し、かつリッド部分に固定される。リッド部分が閉位置から開位置へと移動する時、持ち上げ要素は、内側部分後部壁を外側部分後部壁から遠ざかるように動かすように適合される。有利なことに、ショルダーボックス持ち上げ機構は、リッド部分が開位置へと動くと、外側ボックス後部壁から遠ざかるように内側部分後部壁を関節動作し、内側部分の信頼できかつ一貫した関節動作を確保する。
【０００９】
持ち上げ要素は、内側部分底部壁と外側部分底部壁とを接続している間に、第二のヒンジ線に沿って外側ボックス部分と相対的に内側部分を関節動作する。第二のヒンジ線は第一のヒンジ線と平行である。平行なヒンジ線は単純な構造およびショルダーボックスの組立を提供する。
【００１０】
持ち上げ要素は、第一のフラップと第二のフラップとを分離する第二の持ち上げ要素のヒンジ線と、第二のフラップを第三のフラップから分離する第三の持ち上げ要素のヒンジ線と、を含むことができる。持ち上げ要素は、第三の持ち上げ要素のヒンジ線に沿って延び、かつその一部分を置き換えるタブ切り抜きを含むことが好ましい。タブ切り抜きは、第二のフラップおよび第三のフラップが同一平面上でない構成へと回転する時、可聴音を発生する。有利なことに、これは、開いている位置または閉じている位置を示す可聴音を消費者に提供する。
【００１１】
数多くの実施形態では、リッド部分は、リッド右側壁とリッド左側壁との間に広がるリッド上部壁をさらに備え、そしてこの上部壁は外側ボックス底部壁の上端に沿って第一のヒンジ線に従属する。ここで、持ち上げ要素はリッド上部壁に固定される。第三のフラップはリッド上部壁に固定され、第一のヒンジ線および第三の持ち上げ要素のヒンジ線は平行でかつ同一の広がりを持つことが好ましい。これらの実施形態の数多くでは、第一のフラップおよび第二のフラップは相互の上に折り曲げられ、かつ容器が閉位置であり第三のフラップがリッド上部壁と同一平面上である時、第三のフラップは第一のフラップおよび第二のフラップと実質的に直交する。この構成では、リッドが少なくとも約４５度の角度まで開いている時、第二のフラップおよび第三のフラップは同一平面上である。有利なことに、この構成は、単純な構築、および内側部分が外側ボックス部分と相対的に関節動作していることを示す早期の可聴音を提供する。
【００１２】
その他の実施形態では、外側ボックス部分は、外側ボックス右側壁と外側ボックス左側壁との間に広がる外側ボックス上部壁とを備え、リッド前部壁は外側ボックス上部壁に沿って第一のヒンジ線に従属する。ここでは、第三のフラップは、リッド前部壁に固定され、かつこれと同一平面上であり、また第二のフラップおよび第三のフラップは、リッドが少なくとも約１８０度の角度まで開いている時に同一平面上である。有利なことに、この構成は、単純な構築、および内側部分が外側ボックス部分と相対的に関節動作していることを示す可聴音を提供する。さらに、容器の後部壁が基体上に置かれている場合でも、この容器を開くことができる。
【００１３】
外側ボックス左側壁および外側ボックス右側壁の上部側部分が湾曲した角部を持つことができるか、またはリッド左側壁および外側ボックス右側壁の下部側部分が湾曲した角部を持つか、のどちらかである。この特徴は、容器が閉じており容器に対する滑らかな閉鎖動作を提供するように、リッドの側壁および外側ボックスの側壁が相互に接触しないという利点を提供する。
【００１４】
内側部分の中に受けられる消費財は、第一のヒンジ線に直交する長軸方向軸を持つ細長い要素である。内側部分は、内側部分右側壁と内側部分左側壁との間に広がる内側部分前部壁をさらに含むことができ、また内側部分前部壁は内側部分後部壁と平行である。内側部分前部壁は、有利なことに、細長い消費財を内側部分の中に保持する。
【００１５】
数多くの実施形態では、第一のヒンジ線は外側ボックスをリッド部分へと接続する。外側ボックス部分およびリッド部分は、同一の層状ブランクで形成される。この構造は、有利なことにブックボックスの構築および組立を単純化する。
数多くの実施形態では、内側部分および持ち上げ機構は同一の層状ブランクで形成される。この構造は、有利なことにブックボックスの構築および組立を単純化する。
【００１６】
本発明は、消費財のための内側パッケージを含む任意の適切な容器に適用可能である。消費財（例えば、細長い喫煙物品）を、折り畳まれた層状ブランクから形成された容器内に包装することが知られている。例えば、紙巻たばこおよび葉巻たばこなどの細長い喫煙物品は一般に、喫煙物品を収容するボックスと、容器の後部壁を横切って延びるヒンジ線を中心としてボックスに接続されたリッドとを有する、ヒンジリッドパック入りで販売される。ボックスは、ボックス後部壁、ボックス右側壁、ボックス上部壁、およびボックス底部壁を含んでもよい。リッドは、ボックス前部壁およびボックス左側壁を形成してもよい。
【００１７】
容器の構成要素の相対的位置を記述するために使用される「前部」、「後部」、「上方」、「下方」、「側部」、「上部」、「下部」、およびその他の用語は、リッドが前側を形成し、かつ消費財が後側に沿って置かれる容器を参照する。「左」および「右」という用語は、容器をその前側から見た時の容器の側壁を参照して使用することができる。本発明による容器を記述する時、記述される容器の向きに関係なく、これらの用語が使用される。容器のリッド部分を旋回動作により開けられるようにするリッド部分のヒンジ線は、容器の「後部」に位置する。逆に、容器の「前部」は、容器の「後部」と相反する容器の側を意味する。
【００１８】
「内部表面」という用語は、本明細書全体を通して、容器が閉位置にある時に、その容器の内部に面する（例えば、消費財に面する）組立済み容器の構成要素の表面を意味するために使用される。
【００１９】
「外部表面」という用語は、本明細書全体を通して、その容器の外側に面する容器の構成要素の表面を意味するために使用される。例えば、１つ以上の実施形態では、容器は、容器の外側ボックス部分に面する外部表面、および容器内に保持される消費財に面する内部表面を含む内側部分を含む。
【００２０】
「ヒンジ線」という用語は、２つの要素がこれを中心として相互に対して旋回できる線を意味する。ヒンジ線は、例えば、容器の壁またはパネル内の、あるいは容器の２つの壁の間の折り目、穿孔線、または横罫線であってもよい。
【００２１】
「パネル」という用語は、材料の単一の連続した部分から形成される容器の一部分を意味する。パネルは、１つ以上の折り目に沿って１つ以上の他のパネルに従属することができる。「フラップ」という用語は、１つのみの折り目に沿って１つのみの他のパネルに従属するパネルを意味する。
【００２２】
「壁」という用語は、容器の面を意味し、また壁は単一のパネルまたはフラップから形成することができ、あるいは壁は２つ以上の隣接するまたは重なり合うパネルもしくはフラップから形成することができる。
【００２３】
「高さ」、「幅」、および「奥行き」という用語は、リッドが閉位置であり、かつ容器を前側から見た時の、容器または容器の構成要素の３つの直角をなす軸に沿った外部寸法を意味する。例えば、容器の「高さ」は、容器の上部と下部との間の縦の距離を意味し、容器の「幅」は、容器の相反する右側と左側との間の距離を意味し、容器の「奥行き」は、容器の前部と後部との間の距離を意味する。「内部高さ」、「内部幅」、「内部奥行き」という用語は、容器または構成要素の内側の対応する寸法を意味する。容器の外部寸法と容器の内部寸法との間の差は、材料の厚さ、層の数、および追加的な要素（例えば、接着剤の厚さなど）によって決定される。
【００２４】
本開示によると、外側ボックス部分の中に受けられる内側部分と、内側部分の上または内側部分の中に受けられる、消費財への容易なアクセスを促進する持ち上げ機構と、を備える消費財のための容器が提供される。持ち上げ機構は、リッド部分に隣接する上部側から内側部分を持ち上げ、また内側部分は、ヒンジ線に沿って容器の下部側に沿って関節動作する。
【００２５】
外側ボックス部分は、外側ボックス左側壁と外側ボックス右側壁との間に広がる外側ボックス後部壁を持つ。外側ボックス底部壁は外側ボックス後部壁と直交し、かつ外側ボックス左側壁と外側ボックス右側壁との間に広がる。一部の実施形態では、外側ボックス部分は、外側ボックス左側壁と外側ボックス右側壁との間に広がる外側ボックス上部壁を含み、かつ外側ボックス後部壁と直交する。
【００２６】
リッド部分は、外側ボックスの上端に沿って第一のヒンジ線に従属する。第一のヒンジ線は、本明細書に記述する容器の端または角部を形成する。リッド部分は、リッド右側壁とリッド左側壁との間に広がるリッド前部壁を含む。リッド底部壁は、リッド前部壁と直交し、かつリッド左側壁とリッド右側壁との間に広がる。リッド部分は、第一のヒンジ線を中心として、閉位置と開位置との間で移動可能である。外側ボックス部分および外側リッド部分は、同一の層状ブランクから形成されることが好ましい。
【００２７】
消費財を開放上部側に沿って受けるための内側部分は、外側ボックス部分の中に受けられる。内側部分は、内側部分右側壁と内側部分左側壁との間の内側部分後部壁を含む。内側部分底部壁は、内側部分後部壁と直交し、かつ内側部分左側壁と内側部分右側壁との間に広がる。リッド部分が閉位置である時、内側部分後部壁は内側部分後部壁と隣接する。内側部分底部壁は外側ボックス底部壁と隣接し、また第一のヒンジ線は内側部分開放上部側と隣接し、また内側部分は外側ボックス底部壁にヒンジ連結により取り付けられる。
【００２８】
持ち上げ要素は、内側部分の後部壁に沿って第一の持ち上げ要素のヒンジ線に従属し、かつリッド部分に固定される。リッド部分が閉位置から開位置へと移動する時、持ち上げ要素は、内側部分後部壁を外側部分後部壁から遠ざかるように動かすように適合される。内側部分および持ち上げ要素は、同一の層状ブランクから形成されることが好ましい。
【００２９】
数多くの実施形態では、持ち上げ要素は、折り畳まれた基体要素である。持ち上げ要素は、第一のフラップと第二のフラップとを分離する第二の持ち上げ要素のヒンジ線と、第二のフラップを第三のフラップから分離する第三の持ち上げ要素のヒンジ線と、を含むことができる。折り畳まれた基体要素は、坪量が約６０グラム／ｍ2〜約２００グラム／ｍ2である紙などの任意の材料で形成することができる。持ち上げ要素の形状記憶を最大化するために、際立った抄紙方向は、折り目と直交することが好ましい。
【００３０】
持ち上げ要素は、第三の持ち上げ要素のヒンジ線に沿って延び、かつその一部分を置き換えるタブ切り抜きを含むことが好ましい。タブ切り抜きは、第二のフラップおよび第三のフラップが同一平面上でない構成へと回転する時、可聴音を発生する。タブ切り抜きは細長い「Ｕ」字形である。タブ切り抜きは、第三の持ち上げ要素のヒンジ線の全長の約２０パーセント〜約５０パーセントを置き換えることができる。タブ切り抜きは、約１０ｍｍ〜約３５ｍｍの長さを有することができ、約１５ｍｍ〜約２０ｍｍの長さを有することがより好ましい。タブ切り抜きは、約１ｍｍ〜約１０ｍｍの高さ（第三の持ち上げ要素のヒンジ線からのオフセット距離）を有することができ、約２ｍｍ〜約４ｍｍであることがより好ましい。
【００３１】
一部の実施形態では、リッド部分は、外側ボックス後部壁の上端に沿って第一のヒンジ線に従属し、かつリッド部分は、リッド左側壁とリッド右側壁との間に広がるリッド上部壁を含む。これらの実施形態では、持ち上げ要素はリッド上部壁に固定される。第三のフラップはリッド上部壁に固定され、第一のヒンジ線および第三の持ち上げ要素のヒンジ線は平行でかつ同一の広がりを持つことが好ましい。これらの実施形態のうちの数多くでは、第一のフラップおよび第二のフラップを相互の上に折り畳み、そして容器が閉位置であり、かつ第三のフラップがリッド上部壁と同一平面上である時、第三のフラップは第一のフラップおよび第二のフラップと実質的に直交する。この構成では、リッドが少なくとも約９０度の角度まで開いている時、第二のフラップおよび第三のフラップは同一平面上である。
【００３２】
その他の実施形態では、外側ボックス部分は、外側ボックス右側壁と外側ボックス左側壁との間に広がる外側ボックス上部壁と、外側ボックス上部壁に沿って第一のヒンジ線に従属するリッド前部壁と、を含む。ここで持ち上げ機構はリッド前部壁に固定され、かつリッド前部壁と同一平面上になる。これらの実施形態では、持ち上げ要素は、５つのフラップおよび５つの折り目を持つことができ、第一のフラップは内側部分に従属し、そして各々の後に続くフラップはその前のフラップに従属する。第四のフラップをリッド前部壁に固定することができ、かつリッド前部壁の平面上にすることができる。第五のフラップは第四のフラップの上に折り返され、閉鎖動作の間、持ち上げ要素が滑らかに自身の上に畳まれるように第三のフラップの上に戻るような、てこ作用力を提供する。閉位置では、第二のフラップは第一のフラップの上へと折り畳まれる。
【００３３】
この構成は、容器を開ける時に、内側部分に対する第一および第二の２つの安定位置を提供する。リッドが約９０度より大きく開けられると、第一の２つの安定位置から第二の２つの安定位置へと、例えば、外側ボックス部分から内側部分が「飛び出す」、またはばねで遠ざかる。リッド部分を約１８０度より小さい角度まで閉じると、レバーフラップまたは第五のフラップが第三のフラップに接触し、かつ偏向し、そして持ち上げ機構は滑らかに閉じることができる、または自身の上に、第二の２つの安定位置から第一の２つの安定位置へと戻るように折り畳むことができるようになる。
【００３４】
一部の実施形態では、外側ボックス左側壁および外側ボックス右側壁の上部側部分の角部は湾曲していることが好ましい。その他の実施形態では、リッド左側壁および外側ボックス右側壁の下部側部分の角部は湾曲していることが好ましい。両方のバージョンは、容器の滑らかな閉鎖を改善することができ、また真っ直ぐな縁が閉鎖動作の間に引っ掛かり、詰まるのを防止する。
【００３５】
容器、外側ボックス部分、リッド部分および内側部分、ならびに外側ラッパーは、厚紙、板紙、プラスチック、金属、またはその組み合わせを含むがこれに限定されない、任意の適切な材料から形成しうる。厚紙の重さは、約１００グラム／平方メートル〜約３５０グラム／平方メートルとしうる。
【００３６】
容器内の消費財は、内側ライナー内に包まれうる。内側ライナーおよび消費財は、共に内側パッケージを形成する。始めて開く前に、充填された容器は、外側ラッパー内に包まれた状態でありうる。
【００３７】
本発明による容器は、長軸方向の直角の端および横断方向の直角の縁を持つ直方体の形状とすることができる。別の方法として、容器は、１つ以上の長軸方向の丸み付きの縁、横断方向の丸み付きの縁、長軸方向の面取りされた縁、または横断方向の面取りされた縁、またはその組み合わせを含んでもよい。例えば、本発明による容器は以下の特徴のうちの１つ以上を含んでもよいが、これに限定されない。
・リッド壁（または前部壁）および外側ボックス後部壁のうちの少なくとも１つの上の１つまたは２つの長軸方向の丸みのあるまたは面取りした端。
・リッド（または前部壁）および外側ボックス後部壁のうちの少なくとも１つの上の１つまたは２つの横断方向の丸みのあるまたは面取りした端。
・リッド（または前部壁）上の１つの長軸方向の丸みのある端および１つの長軸方向の面取りした端、または外側ボックス後部壁上の１つの横断方向の丸みのある縁および１つの横断方向の面取りのある端。
・リッド（または前部壁）上の１つの長軸方向の丸みのある縁および１つの長軸方向の面取りした端、および外側ボックス後部壁上の１つの横断方向の丸みのある端および１つの横断方向の面取りのある端。
・リッド（または前部壁）の１つまたは２つの横断する丸みのある縁または面取りした端、およびリッド（または前部壁）の１つまたは２つの長軸方向の丸みのある端または面取りした端。
・右側壁上の２つの長軸方向の丸みのあるまたは面取りした端、または左側壁上の２つの横断方向の丸みのあるまたは面取りした端。
【００３８】
容器が１つ以上の丸みのある端を含む場合、容器（外側ボックスおよびリッド）を形成するブランクは、組み立てられた容器内に各々の丸みのある端を形成するために、３、４、５、６、または７本の横罫線または筋付け線を含むことが好ましい。横罫線または筋付け線は、容器の内側、または容器の外側のいずれであってもよい。横罫線または筋付け線は、相互から約０．３ｍｍ〜約４ｍｍの間隔を持つことが好ましい。
【００３９】
喫煙物品の束を収容するだけでなく、容器は、例えば、マッチ、ライター、消火手段、口臭フレッシュ、または電子装置などのその他の消費財をさらに含んでもよい。その他の消費財は、容器の外側に取り付けられてもよく、容器の中に喫煙物品とともに、容器の別の区画内に収容されてもよく、またはその組み合わせであってもよい。
【００４０】
本発明による容器の外部表面は、製造元またはブランドのロゴ、商標、スローガンおよびその他の消費者情報およびしるしで、印刷、エンボス加工、デボス加工またはその他の方法で装飾しうる。
【００４１】
リッドおよび少なくとも１つの側壁を含むカートンは、本明細書に記述される複数の容器を収容することができる。
【００４２】
ここで本発明の一部の態様が図示されている図面を参照する。
【図面の簡単な説明】
【００４３】
【図１】図１は、容器が外側ボックス部分と、外側ボックス部分の中に配置された内側部分と、を含む、容器の開位置での概略斜視図である。
【図２】図２は、外側ボックス部分およびリッド部分を形成する単一の層状ブランクの略図である。
【図３】図３は、内側部分および例示的な持ち上げ要素を形成するための単一の層状ブランクの略図である。
【図４】図４は、開位置である、リッドの上部壁に固定されている持ち上げ機構を示す、図１の容器の概略斜視上面図である。
【図５】図５は、開位置である容器の別の実施形態の概略斜視図であり、持ち上げ要素はリッドの前部壁に固定されている。
【図６】図６は、外側ボックス部分およびリッド部分を形成する別の単一の層状ブランクの略図である。
【図７】図７は、内側部分および別の例示的な持ち上げ要素を形成するための別の単一の層状ブランクの略図である。
【図８】図８は、図５の容器の概略断面図である。
【図９】図９は、図８の持ち上げ機構の概略断面拡大図である。
【図１０】図１０は、図８の閉位置での持ち上げ機構の概略断面拡大図である。
【発明を実施するための形態】
【００４４】
図１は、本発明の実施形態による容器１０を示す。容器１０は、外側ボックス部分２０と、内側部分５０と、リッド部分３０と、を備える。リッド部分３０が開位置に向かって動かされると、持ち上げ機構は、内側部分５０が外側ボックス部分２０から遠ざかるように関節動作する。持ち上げ機構は、図１では明瞭のために省略されるが、図３および図４では示され、参照して記述される。
【００４５】
外側ボックス部分２０は、外側ボックス左側壁２７と外側ボックス右側壁２８との間に広がる外側ボックス後部壁２２を含む。外側ボックス底部壁２４は、外側ボックス左側壁２７および外側ボックス右側壁２８と直交し、かつ外側ボックス左側壁２７と外側ボックス右側壁２８との間に広がる。
【００４６】
リッド部分３０は、リッド底部壁３４とリッド上部壁３６との間およびリッド右側壁３８とリッド左側壁３７との間に広がるリッド前部壁３２を含む。リッド右側壁３８および左側壁３７はリッド前部壁３２と直交し、またリッド底部壁３４とリッド上部壁３６との間に広がる。
【００４７】
リッド部分３０は、外側ボックス部分後部壁２２の上部側に沿って第一のヒンジ線４０に従属する。リッド部分３０は、第一のヒンジ線４０を中心として、閉位置と開位置との間で移動可能である。第一のヒンジ線４０は、外側ボックス左側壁２７と外側ボックス右側壁２８との間に延びる。
【００４８】
外側ボックス部分２０とリッド部分３０とは、図２に示すように、単一の層状ブランクから形成されることが好ましい。外側ボックス左側壁２７および外側ボックス右側壁２８の上部部分は、閉鎖を容易にし、かつリッド部分３０の閉鎖動作の間にリッド部分３０が外側ボックス左側壁２７および外側ボックス右側壁２８に引っ掛かる可能性を減らすように角部が湾曲していることが好ましい。
【００４９】
内側部分５０は消費財を受けるように配置および構成される。消費財は、第一のヒンジ線４０と概して直交する長軸方向の長さを持つことができる。数多くの実施形態では、消費財は喫煙物品または紙巻たばこなどの細長い物品であり、長軸方向の長さまたは長軸方向軸は、概して第一のヒンジ線４０と直交する。消費財を内側部分５０の上部側から抜き出すことができる。
【００５０】
内側部分５０は外側ボックス部分２０の中に受けられる。内側部分５０は、内側部分右側壁５８と内側部分左側壁５７との間に広がる内側部分後部壁５２を備える。内側部分５０は、内側部分右側壁５８と内側部分左側壁５７との間に広がり、かつ内側部分後部壁５２に平行な内側部分前部壁５１を備えることが好ましい。内側部分５０の上部側部分は、内側部分５０の中に保持されている消費財へのアクセスを提供するために開いている。
【００５１】
リッド部分３０が閉位置である時、内側部分後部壁５２は外側ボックス後部壁２２と隣接する。外側ボックス部分底部壁２４は、内側部分底部壁５４とリッド底部壁３４との間にあり、かつこれらと隣接する。図３に図示されるように、構築の簡単のため、内側部分５０および持ち上げ要素８０は、同一の層状ブランクから形成される。内側部分底部壁５４は、第二のヒンジ線に沿って、外側ボックス部分底部壁２４にヒンジ連結により取り付けられる。第二のヒンジ線は第一のヒンジ線４０と平行であることが好ましい。
【００５２】
図３は、持ち上げ要素の第一の折り目８１に沿って内側部分後部壁５２に従属する持ち上げ要素８０を図示する。第一の持ち上げ要素フラップ８５は、持ち上げ要素の第一の折り目８１に沿って内側部分後部壁５２に接続される。第二の持ち上げ要素フラップ８６は、持ち上げ要素の第二の折り目８２に沿って第一の持ち上げ要素フラップ８５に接続される。第三の持ち上げ要素フラップ８７は、持ち上げ要素の第三の折り目８３に沿って第二の持ち上げ要素フラップ８６に接続される。
【００５３】
第三の持ち上げ要素フラップ８７は、リッド部分３０が開位置へと動かされる時、内側部分５０が外側ボックス部分２０と相対的に関節動作するように、リッド部分３０に固定される。持ち上げ要素８０は、リッド部分３０が開位置へと移動する時、内側部分後部壁５２を外側ボックス後部壁２２から遠ざかるように動かす。
【００５４】
図１〜図４は、リッド部分３０がリッド右側壁３８とリッド左側壁３７との間に広がる上部リッド壁３６を持つ、容器の一つの実施形態を図示する。リッド上部壁３６は、外側ボックス底部壁２２の上端に沿って第一のヒンジ線４０に従属する。持ち上げ要素８０は、リッド上部壁３６に固定される。第三の持ち上げ要素フラップ８７はリッド上部壁３６に固定される。第一のヒンジ線４０と第三の持ち上げ要素のヒンジ線８３とは、平行で、かつ同一の広がりを持つことが好ましい。持ち上げ要素は、第三の持ち上げ要素のヒンジ線８３に沿って延び、かつその一部分を置き換えるタブ切り抜き８８を含むことが好ましい。容器が閉位置である時、第一のフラップ８５および第二のフラップ８６は、相互の上に折り畳まれ、かつ第三のフラップ８７は、第一のフラップ８５および第二のフラップ８６と実質的に直交する。第三のフラップ８７は、リッド上部壁３６と同一平面上にある。これらの実施形態のうちの数多くでは、外側ボックス左側壁２７および外側ボックス右側壁２８の上部側部は角部が湾曲している。
【００５５】
容器１０は、リッド部分の底部壁３４上のリッド部分のロッキング嵌合要素７４に係合し、かつリッド３０を閉位置に固定するように構成されたロッキング要素７２を外側ボックス底部壁２４上にさらに含む。
【００５６】
図５〜図１０は、外側ボックス部分２０が、外側ボックス右側壁２８と外側ボックス左側壁２７との間に広がる外側ボックス上部壁２６を持つ容器の別の実施形態を図示する。リッド前部壁３２は、外側ボックス上部壁２６に沿って第一のヒンジ線４０に従属する。持ち上げ要素８０は、リッド前部壁３２に固定される。これらの実施形態のうちの数多くでは、リッド左側壁３７およびリッド右側壁３８の下部側部は角部が湾曲している。
【００５７】
外側ボックス部分２０は、外側ボックス左側壁２７と外側ボックス右側壁２８との間に広がる外側ボックス後部壁２２を含む。外側ボックス底部壁２４は、外側ボックス左側壁２７および外側ボックス右側壁２８と直交し、かつ外側ボックス左側壁２７と外側ボックス右側壁２８との間に広がる。外側ボックス上部壁２６は、外側ボックス左側壁２７および外側ボックス右側壁２８と直交し、かつ外側ボックス左側壁２７と外側ボックス右側壁２８との間に広がる。
【００５８】
リッド部分３０は、リッド右側壁３８とリッド左側壁３７との間に広がるリッド前部壁３２を含む。リッド右側壁３８および左側壁３７はリッド前部壁３２と直交し、またリッド底部壁３４はリッド右側壁３８とリッド左側壁３７との間に広がる。
【００５９】
リッド部分３０は、外側ボックス部分の後部壁２２の上部壁２６に沿って第一のヒンジ線４０に従属する。リッド部分３０は、第一のヒンジ線４０を中心として、閉位置と開位置との間で移動可能である。第一のヒンジ線４０は、外側ボックス左側壁２７と外側ボックス右側壁２８との間に延びる。
【００６０】
外側ボックス部分２０とリッド部分３０とは、図６に示すように、単一の層状ブランクから形成されることが好ましい。リッド左側壁３７および外リッド右側壁３８の底部部分は閉鎖を容易にし、かつリッド部分３０の閉鎖動作の間にリッド部分３０が外側ボックス左側壁２７および外側ボックス右側壁２８に引っ掛かる可能性を減らすように角部が湾曲していることが好ましい。
【００６１】
上述のように、内側部分５０は消費財を受けるように配置および構成される。
【００６２】
内側部分５０は外側ボックス部分２０の中に受けられる。内側部分５０は、内側部分右側壁５８と内側部分左側壁５７との間に広がる内側部分後部壁５２を備える。内側部分５０は、内側部分右側壁５８と内側部分左側壁５７との間に広がり、かつ内側部分後部壁５２に平行な内側部分前部壁５１を備えることが好ましい。内側部分５０の上部側部分は、内側部分５０の中に保持されている消費財へのアクセスを提供するために開いている。
【００６３】
リッド部分３０が閉位置である時、内側部分後部壁５２は外側ボックス後部壁２２と隣接する。外側ボックス部分底部壁２４は、内側部分底部壁５４とリッド底部壁３４との間にあり、かつこれらと隣接する。図７に図示されるように、構築の簡単のため、内側部分５０および持ち上げ要素８０は、同一の層状ブランクから形成される。内側部分底部壁５４は、第二のヒンジ線に沿って、外側ボックス部分底部壁２４にヒンジ連結により取り付けられる。第二のヒンジ線は第一のヒンジ線４０と平行であることが好ましい。
【００６４】
図７は、持ち上げ要素の第一の折り目８１に沿って内側部分後部壁５２に従属する持ち上げ要素８０を図示する。第一の持ち上げ要素フラップ８５は、持ち上げ要素の第一の折り目８１に沿って内側部分後部壁５２に接続される。第二の持ち上げ要素フラップ８６は、持ち上げ要素の第二の折り目８２に沿って第一の持ち上げ要素フラップ８５に接続される。第三の持ち上げ要素フラップ８７は、持ち上げ要素の第三の折り目８３に沿って第二の持ち上げ要素フラップ８６に接続される。第四の持ち上げ要素フラップ９１は、持ち上げ要素の第四の折り目８４に沿って第三の持ち上げ要素フラップ８７に接続される。第五の持ち上げ要素フラップ８９は、持ち上げ要素の第五の折り目９０に沿って第四の持ち上げ要素フラップ９１に接続される。
【００６５】
第四の持ち上げ要素フラップ９１は、リッド部分３０が開位置へと動かされる時、内側部分５０が外側ボックス部分２０と相対的に関節動作するように、リッド部分３０の前部壁３２に固定される。持ち上げ要素８０は、リッド部分３０が開位置へと移動する時、内側部分後部壁５２を外側ボックス後部壁２２から遠ざかるように動かす。
【００６６】
図５〜図１０は、持ち上げ要素８０がリッド前部壁３２へと固定される、容器の一つの実施形態を図示する。図８および図９は、開位置にあるこの５つ畳みの持ち上げ要素構造を図示し、そして図１０は、閉位置にあるこの５つ畳みの持ち上げ要素構造を図示する。第四のフラップ９１は、リッド前部壁３２に固定され、かつリッド前部壁３２の平面上にある。第五のフラップ８９は、第四のフラップ９１の上に折り返され、閉鎖動作の間、持ち上げ機構８０が滑らかに閉じることができるように第三のフラップ８７の上に戻るような、てこ作用力を提供する。閉位置では、第二のフラップ８６は第一のフラップ８５の上へと折り畳まれる。
【００６７】
この構成は、容器を開けた時に、内側部分５０に対する第一および第二の２つの安定位置を提供する。リッド３０が約９０度より大きく開けられると、例えば、外側ボックス部分２０から内側部分が「飛び出す」、またはばねで遠ざかる。リッド部分３０を約１８０度より小さい角度まで閉じると、レバーフラップまたは第五のフラップ８９が第三のフラップ８７に接触し、偏向し、持ち上げ機構は滑らかに閉じることができる、または自身の上に折り畳むことができるようになる。それゆえ、レバーまたは第五のフラップ８９は第四のフラップ９１より長い。
【００６８】
上述の例示的な実施形態は限定するものではない。上述の例示的実施形態と一貫性のあるその他の実施形態は、当業者には明らかであろう。
【図１】
0006711834.tif 000002
【図２】
0006711834.tif 000003
【図３】
0006711834.tif 000004
【図４】
0006711834.tif 000005
【図５】
0006711834.tif 000006
【図６】
0006711834.tif 000007
【図７】
0006711834.tif 000008
【図８】
0006711834.tif 000009
【図９】
0006711834.tif 000010
【図１０】
0006711834.tif 000011